【手続補正書】
【提出日】令和1年5月22日(2019.5.22)
【手続補正１】
【補正対象書類名】特許請求の範囲
【補正対象項目名】全文
【補正方法】変更
【補正の内容】
【特許請求の範囲】
【請求項１】
モバイルデバイスのタッチスクリーンディスプレイを構成するための方法であって、
前記モバイルデバイスの指紋センサを用いてオブジェクトの画像を取り込むステップであって、前記モバイルデバイスが、複数の登録ユーザを有する保護されたデバイスであり、前記モバイルデバイスのタッチスクリーンがディセーブルされる間に前記指紋センサにより実行される、取り込むステップと、
前記画像内で取り込まれた前記オブジェクトが特定のタイプのオブジェクトであるとの決定に応答して、前記タッチスクリーンディスプレイを介してタッチ入力を受信するために前記モバイルデバイスの前記タッチスクリーンディスプレイをイネーブルするとともに、指紋の認証および/またはユーザパスワードの受信なしに、前記オブジェクトが特定のオブジェクト種類に属するとの決定に応答して、前記モバイルデバイスの機能のサブセットをロック解除するステップと
を含む方法。
【請求項２】
取り込まれた画像内で前記特定のタイプのオブジェクトの存在の検出が終了するまで、前記タッチスクリーンディスプレイを介したタッチ感知が防止され、前記特定のタイプのオブジェクトが、1つまたは複数の選ばれたオブジェクト種類に属するオブジェクトである、請求項1に記載の方法。
【請求項３】
前記モバイルデバイスの電源ボタンまたはホームボタンが押されたことの検出に応答して、前記タッチスクリーンディスプレイをアクティブ化することなく前記モバイルデバイスの前記指紋センサをアクティブ化するステップと、
前記指紋センサを使用して前記画像を取り込むステップと、
前記画像内で取り込まれた前記オブジェクトに対して画像認識プロセスを実施するステップと、
前記画像内で取り込まれた前記オブジェクトが、人間の指と、いかなるオブジェクトもないこととのうちの一方であると決定されたときに、前記モバイルデバイスの前記タッチスクリーンディスプレイをイネーブルするステップと
をさらに含み、および/または
前記指紋センサが下に位置する、前記モバイルデバイスの前記タッチスクリーンディスプレイの領域が押されたことの検出に応答して、前記タッチスクリーンディスプレイをアクティブ化することなく前記モバイルデバイスの前記指紋センサをアクティブ化するステップと、
前記指紋センサを使用して前記画像を取り込むステップと、
前記画像内で取り込まれた前記オブジェクトに対して画像認識プロセスを実施するステップと、
前記画像内で取り込まれた前記オブジェクトが人間の指であると決定されたときに、前記モバイルデバイスの前記タッチスクリーンディスプレイをイネーブルするステップと
をさらに含む、請求項1に記載の方法。
【請求項４】
前記画像内で取り込まれた前記オブジェクトが前記特定のタイプのオブジェクトであるとの前記決定に応答して、前記モバイルデバイスへのアクセスを提供することなく前記モバイルデバイスの前記タッチスクリーンディスプレイがイネーブルされ、
好ましくは、前記指紋センサが超音波指紋センサであり、
好ましくは、前記モバイルデバイスが、モバイル電話機、タブレットコンピュータ、ポータブル・エンタテイメント・デバイス、のうちの1つである、請求項1に記載の方法。
【請求項５】
前記画像内で取り込まれた前記オブジェクトがユーザに関連する人間の指であるとの前記決定に応答して、前記人間の指が前記モバイルデバイスの前記複数の登録ユーザのうちの1人に対応するかどうかにかかわらず、前記タッチスクリーンディスプレイが前記ユーザに対してイネーブルされる、請求項1に記載の方法。
【請求項６】
前記モバイルデバイスが前記画像の取込み前にロック状態にあり、
前記モバイルデバイスの前記タッチスクリーンディスプレイをアクティブ化することなく前記指紋センサをアクティブ化するステップと、
前記画像内で取り込まれた前記オブジェクトに対して画像認識プロセスを実施して、前記オブジェクトが前記特定のタイプのオブジェクトに対応するかどうかを決定するステップと、
前記モバイルデバイスの前記ロック状態を変更することなく、前記モバイルデバイスの前記タッチスクリーンディスプレイをイネーブルして前記モバイルデバイスの1つまたは複数の緊急サービス機能へのアクセスを提供するステップと
をさらに含む、請求項1に記載の方法。
【請求項７】
前記モバイルデバイスの前記1つまたは複数の緊急サービス機能へのアクセスを提供するステップが、前記特定のタイプのオブジェクトの検出に応答して前記1つまたは複数の緊急サービス機能のみを前記モバイルデバイスの前記ロック状態からロック解除するステップを含む、請求項6に記載の方法。
【請求項８】
モバイルデバイスであって、
タッチスクリーンディスプレイと、
オブジェクトの画像を取り込む指紋センサと、
前記指紋センサおよび前記タッチスクリーンディスプレイと結合され、前記画像内で取り込まれた前記オブジェクトが特定のタイプのオブジェクトであるとの決定に応答して前記タッチスクリーンディスプレイをディセーブル状態からイネーブルすることを行うプロセッサであって、前記オブジェクトの画像の取り込みが、前記モバイルデバイスの前記タッチスクリーンディスプレイがディセーブルされる間に前記指紋センサにより実行される、プロセッサと
を備え、
モバイルデバイスが、複数の登録ユーザを有する保護されたデバイスであり、前記タッチスクリーンディスプレイが、前記タッチスクリーンディスプレイを介してタッチ入力を受信するためにイネーブルされ、前記モバイルデバイスの機能のサブセットが、指紋の認証および/またはユーザパスワードの受信なしに、前記オブジェクトが特定のオブジェクト種類に属するとの決定に応答して、ロック解除される、モバイルデバイス。
【請求項９】
取り込まれた画像内で前記特定のタイプのオブジェクトの存在の検出が終了するまで、前記タッチスクリーンディスプレイを介したタッチ感知が防止され、前記特定のタイプのオブジェクトが、1つまたは複数の選ばれたオブジェクト種類に属するオブジェクトである、請求項8に記載のモバイルデバイス。
【請求項１０】
前記プロセッサが、
電源ボタンまたはホームボタンが押されたことの検出に応答して、前記タッチスクリーンディスプレイをアクティブ化することなく前記指紋センサをアクティブ化することと、
前記指紋センサを使用して前記画像を取り込むことと、
前記画像内で取り込まれた前記オブジェクトに対して画像認識プロセスを実施することと、
前記画像内で取り込まれた前記オブジェクトが、人間の指と、いかなるオブジェクトもないこととのうちの一方であると決定されたときに、前記タッチスクリーンディスプレイをイネーブルすることと
を行うことをさらに含み、および/または
前記プロセッサが、
前記指紋センサが下に位置する、前記タッチスクリーンディスプレイの領域が押されたことの検出に応答して、前記タッチスクリーンディスプレイをアクティブ化することなく前記指紋センサをアクティブ化することと、
前記指紋センサを使用して前記画像を取り込むことと、
前記画像内で取り込まれた前記オブジェクトに対して画像認識プロセスを実施することと、
前記画像内で取り込まれた前記オブジェクトが人間の指であると決定されたときに前記タッチスクリーンディスプレイをイネーブルすることと
を行うことをさらに含む、請求項8に記載のモバイルデバイス。
【請求項１１】
前記画像内で取り込まれた前記オブジェクトが前記特定のタイプのオブジェクトであるとの前記決定に応答して、前記モバイルデバイスへのアクセスを提供することなく前記タッチスクリーンディスプレイがイネーブルされ、
好ましくは、前記指紋センサが超音波指紋センサであり、
好ましくは、前記モバイルデバイスが、モバイル電話機、タブレットコンピュータ、ポータブル・エンタテイメント・デバイス、のうちの1つである、請求項8に記載のモバイルデバイス。
【請求項１２】
前記画像内で取り込まれた前記オブジェクトがユーザに関連する人間の指であるとの前記決定に応答して、前記人間の指が前記モバイルデバイスの前記複数の登録ユーザのうちの1人に対応するかどうかにかかわらず、前記タッチスクリーンディスプレイが前記ユーザに対してイネーブルされる、請求項8に記載のモバイルデバイス。
【請求項１３】
前記モバイルデバイスが前記画像の前記取り込み前にロック状態にあり、前記プロセッサが、
前記モバイルデバイスの前記タッチスクリーンディスプレイをアクティブ化することなく前記指紋センサをアクティブ化することと、
前記画像内で取り込まれた前記オブジェクトに対して画像認識プロセスを実施して、前記オブジェクトが前記特定のタイプのオブジェクトに対応するかどうかを決定することと、
前記モバイルデバイスの前記ロック状態を変更することなく、前記モバイルデバイスの前記タッチスクリーンディスプレイをイネーブルして前記モバイルデバイスの1つまたは複数の緊急サービス機能へのアクセスを提供することと
を行うことをさらに含む、請求項8に記載のモバイルデバイス。
【請求項１４】
前記モバイルデバイスの前記1つまたは複数の緊急サービス機能へのアクセスを提供することを前記プロセッサが行うことが、前記特定のタイプのオブジェクトの検出に応答して前記1つまたは複数の緊急サービス機能のみを前記モバイルデバイスの前記ロック状態からロック解除することを前記プロセッサが行うことをさらに含む、請求項13に記載のモバイルデバイス。
【請求項１５】
命令を含むコンピュータ可読記憶媒体であって、前記命令が、プロセッサによって実行されたとき、請求項1から7のいずれか一項に記載の方法を前記プロセッサに実行させる、コンピュータ可読記憶媒体。